【手続補正書】
【提出日】平成19年6月19日(2007.6.19)
【手続補正１】
【補正対象書類名】特許請求の範囲
【補正対象項目名】全文
【補正方法】変更
【補正の内容】
【特許請求の範囲】
【請求項１】
複数のディスクドライブと前記複数のディスクドライブの少なくとも一部に対応づけられる論理ボリュームとを各々に有する複数の記憶システムと、少なくとも１つのホストコンピュータと、に接続され、前記複数の記憶システムのうち少なくとも１つの記憶システムの論理ボリュームに対応づけられる仮想ボリュームに対して前記ホストコンピュータからデータを受信する場合、前記ホストコンピュータから前記仮想ボリュームに対して受信されるデータを前記仮想ボリュームと前記少なくとも１つの記憶システムの論理ボリュームとの対応関係に基づいて前記少なくとも１つの記憶システムの論理ボリュームへ転送する仮想化システムと、
前記仮想化システムに接続され、前記仮想ボリューム及び／又は他の仮想ボリュームを含む第１の情報を画面に表示するように制御し、前記仮想ボリューム及び／又は他の仮想ボリュームを含む第２の情報を画面に表示するように制御し、前記第１の情報から選択されるコピー元ボリュームに関する情報と前記第２の情報から選択されるコピー先ボリュームに関する情報とを有する管理装置と、を有し、
前記仮想化システムは、前記第１の情報から選択されるコピー元ボリュームに関する情報と前記第２の情報から選択されるコピー先ボリュームに関する情報とに基づいて、前記コピー元ボリュームと前記コピー先ボリュームとの間でコピー処理を実行するものである、ことを特徴とするシステム。
【請求項２】
請求項１に記載のシステムにおいて、
前記管理装置は、前記仮想ボリュームと前記少なくとも１つの記憶システムの論理ボリュームとの対応関係に関する情報を有するものである、ことを特徴とするシステム。
【請求項３】
請求項１又は２に記載のシステムにおいて、
前記管理装置は、前記仮想ボリュームと前記少なくとも１つの記憶システムの論理ボリュームとの対応関係に関する情報を画面に表示するものである、ことを特徴とするシステム。
【請求項４】
請求項１乃至３のいずれかに記載のシステムにおいて、
前記管理装置は、前記仮想ボリュームと前記少なくとも１つの記憶システムの論理ボリュームとの対応関係に関する情報を、前記管理装置に接続される管理端末の画面に表示するものである、ことを特徴とするシステム。
【請求項５】
請求項１乃至４のいずれかに記載のシステムにおいて、
前記管理装置は、前記第１の情報をと前記第２の情報とを、前記管理装置に接続される管理端末の画面に表示するものである、ことを特徴とするシステム。
【請求項６】
請求項１乃至５のいずれかに記載のシステムにおいて、
前記第２の情報から選択可能なボリュームの情報には、前記第１の情報から選択されるコピー元ボリュームに関する情報が含まれていない、ことを特徴とするシステム。
【請求項７】
請求項１乃至６のいずれかに記載のシステムにおいて、
前記仮想化システムは、前記第１の情報から選択されるコピー元ボリュームに関する情報と前記第２の情報から選択されるコピー先ボリュームに関する情報とを受信し、前記第１の情報から選択されるコピー元ボリュームに関する情報と前記第２の情報から選択されるコピー先ボリュームに関する情報とに基づいて前記コピー元ボリュームと前記コピー先ボリュームとのペアを作成するものである、ことを特徴とするシステム。
【請求項８】
請求項７に記載のシステムにおいて、
前記仮想化システムは、前記コピー元ボリュームと前記コピー先ボリュームとのペアを作成した後に、前記コピー元ボリュームと前記コピー先ボリュームとの間でコピー処理を実行するものである、ことを特徴とするシステム。
【請求項９】
請求項１乃至８のいずれかに記載のシステムにおいて、
前記仮想ボリュームと前記少なくとも１つの記憶システムの論理ボリュームとの対応関係は、前記仮想ボリュームを識別する第1のロジカルユニットナンバ（ＬＵＮ）と前記少なくとも１つの記憶システムの論理ボリュームを識別する第２のＬＵＮとの対応関係を有する、ことを特徴とするシステム。
【請求項１０】
請求項１乃至９のいずれかに記載のシステムにおいて、
前記第1の情報及び前記第２の情報に含まれる仮想ボリュームに関する情報には、仮想ボリュームを識別する情報と仮想ボリュームの記憶容量に関する情報とが含まれる、ことを特徴とするシステム。
【請求項１１】
複数のディスクドライブと前記複数のディスクドライブの少なくとも一部に対応づけられる論理ボリュームとを各々に有する複数の記憶システムと、少なくとも１つのホストコンピュータと、に接続され、前記複数の記憶システムのうち少なくとも１つの記憶システムの論理ボリュームに対応づけられる仮想ボリュームに対して前記ホストコンピュータからデータを受信する場合、前記ホストコンピュータから前記仮想ボリュームに対して受信されるデータを前記仮想ボリュームと前記少なくとも１つの記憶システムの論理ボリュームとの対応関係に基づいて前記少なくとも１つの記憶システムの論理ボリュームへ転送する仮想化システムと、
前記仮想化システムに接続され、前記仮想ボリューム及び／又は他の仮想ボリュームを含む第１の情報を画面に表示するように制御し、他の仮想ボリュームを含む第２の情報を画面に表示するように制御し、前記第１の情報から選択されるコピー元ボリュームに関する情報と前記第２の情報から選択されるコピー先ボリュームに関する情報とを有するコンピュータと、を有し、
前記仮想化システムは、前記第１の情報から選択されるコピー元ボリュームに関する情報と前記第２の情報から選択されるコピー先ボリュームに関する情報とに基づいて、前記コピー元ボリュームと前記コピー先ボリュームとの間でコピー処理を実行するものである、ことを特徴とするシステム。
【請求項１２】
請求項１１に記載のシステムにおいて、
前記コンピュータは、前記仮想ボリュームと前記少なくとも１つの記憶システムの論理ボリュームとの対応関係に関する情報を有するものである、ことを特徴とするシステム。
【請求項１３】
請求項１１又は１２に記載のシステムにおいて、
前記コンピュータは、前記仮想ボリュームと前記少なくとも１つの記憶システムの論理ボリュームとの対応関係に関する情報を画面に表示するものである、ことを特徴とするシステム。
【請求項１４】
請求項１１乃至１３のいずれかに記載のシステムにおいて、
前記コンピュータは、前記仮想ボリュームと前記少なくとも１つの記憶システムの論理ボリュームとの対応関係に関する情報を、前記コンピュータに接続される管理端末の画面に表示するものである、ことを特徴とするシステム。
【請求項１５】
請求項１１乃至１４のいずれかに記載のシステムにおいて、
前記コンピュータは、前記第１の情報をと前記第２の情報とを、前記コンピュータに接続される管理端末の画面に表示するものである、ことを特徴とするシステム。
【請求項１６】
請求項１１乃至１５のいずれかに記載のシステムにおいて、
前記第２の情報から選択可能なボリュームの情報には、前記第１の情報から選択されるコピー元ボリュームに関する情報が含まれていない、ことを特徴とするシステム。
【請求項１７】
請求項１１乃至１６のいずれかに記載のシステムにおいて、
前記仮想化システムは、前記第１の情報から選択されるコピー元ボリュームに関する情報と前記第２の情報から選択されるコピー先ボリュームに関する情報とを受信し、前記第１の情報から選択されるコピー元ボリュームに関する情報と前記第２の情報から選択されるコピー先ボリュームに関する情報とに基づいて前記コピー元ボリュームと前記コピー先ボリュームとのペアを作成するものである、ことを特徴とするシステム。
【請求項１８】
請求項１７に記載のシステムにおいて、
前記仮想化システムは、前記コピー元ボリュームと前記コピー先ボリュームとのペアを作成した後に、前記コピー元ボリュームと前記コピー先ボリュームとの間でコピー処理を実行するものである、ことを特徴とするシステム。
【請求項１９】
請求項１１乃至１８のいずれかに記載のシステムにおいて、
前記仮想ボリュームと前記少なくとも１つの記憶システムの論理ボリュームとの対応関係は、前記仮想ボリュームを識別する第1のロジカルユニットナンバ（ＬＵＮ）と前記少なくとも１つの記憶システムの論理ボリュームを識別する第２のＬＵＮとの対応関係を有する、ことを特徴とするシステム。
【請求項２０】
請求項１１乃至１９のいずれかに記載のシステムにおいて、
前記第1の情報及び前記第２の情報に含まれる仮想ボリュームに関する情報には、仮想ボリュームを識別する情報と仮想ボリュームの記憶容量に関する情報とが含まれる、ことを特徴とするシステム。